(57)【要約】  【課題】  パワーディストリビュータを収容する専用ケースを無くすと共に、パワーディストリビュータのバスバーと、絶縁板に固定するバスバーとを同一金型で形成出来るようにする。  【解決手段】  プリント基板２０のプリント導体側と反対面にバスバー２１が固定されたパワーディストリビュータ１００と、バスバー積層品３８のバスバー３１を固定した絶縁板３０とが水平方向に並列配置され、プリント基板２０に固体されたバスバー２１と絶縁板３０に固定されたバスバー３１とが同一の導電性金属板より打ち抜き加工されて、同一平面上に連続配置され、パワーディストリビュータ１００がバスバー３１を固定した絶縁板３０と共にアッパーケース１１とロアケース１２とからなる１つの共用ケース内に収容されている。  【選択図】  図２
2006254527.tif 000002
【特許請求の範囲】
【請求項１】
プリント基板のプリント導体側と反対面にバスバーが固定されたパワーディストリビュータと、バスバーを固定した絶縁板とが水平方向に並列配置され、
前記プリント基板に固体されたバスバーと絶縁板に固定されたバスバーとが１枚の導電性金属板より打ち抜き加工されて、同一平面上に連続配置され、
前記パワーディストリビュータが前記バスバーを固定した絶縁板と共にアッパーケースとロアケースとからなる１つの共用ケース内に収容されていることを特徴とする自動車用の電気接続箱。
【請求項２】
前記絶縁板に固定したバスバーおよびプリント基板に固定したバスバーから、リレー、ヒューズ、コネクタと接続される外部接続端子を設け、該外部接続端子は前記アッパーケースあるいは／およびロアケースに設けたリレー取付部、ヒューズ取付部、コネクタ取付部に位置され、該リレー取付部、ヒューズ取付部、コネクタ取付部を囲む領域にアッパーカバーが前記アッパーケースに取り付けられている一方、
前記パワーディストリビュータのプリント基板に実装されたリレーは前記アッパーケースの閉鎖された上壁の内部に配置されている請求項１に記載の自動車用の電気接続箱。
【発明の詳細な説明】
【技術分野】
【０００１】
本発明は、自動車用の電気接続箱に関し、詳しくは、プリント基板にバスバーが固定されたパワーディストリビュータを収容する電気接続箱において、その構成を簡単とするものである。
【背景技術】
【０００２】
近年、自動車の高機能化に伴って車載電装品が急増していると共に車両内の電気回路システムも増加し、リレーの搭載個数が益々多くなる傾向にあり、車載される電気接続箱にも多数のリレーが搭載され、電気接続箱の高密度化、大型化が余儀なくされている。
このような状況に対応して、半導体スイッチング素子（ＦＥＴ）やＳＭＤリレー等の実装リレーをプリント基板上に実装し、該プリント基板の他面側にバスバーと放熱板を取り付けたパワーディストリビュータ（ＰＤ）を電気接続箱に組み込んだものが提供されている。
【０００３】
例えば、特開２００４−７２９０７号（特許文献１）では、図４に示すように、絶縁樹脂製のフレーム２にバスバーを固定したプリント基板を垂直方向に組み付けた回路構成体３と、バスバーと絶縁板を積層した積層体を水平方向に収容したヒュージブルリンクブロック４、リレーブロック５とを内部回路に備え、これらをボックス６に組み付けた電気接続箱１を提供している。
【０００４】
しかしながら、電気接続箱１の回路構成体３、ヒュージブルリンクブロック４、リレーブロック５は、内部回路をそれぞれ別個の専用ケースに収容して形成しているため、複数のケースが必要となり部品点数が増加する問題がある。
また、回路構成体３とヒュージブルリンクブロック４とリレーブロック５のバスバーをそれぞれ別個の導電性金属板を打ち抜いて形成しているため、それぞれ個別の金型が必要となり、コスト高になる問題がある。
【０００５】
【特許文献１】特開２００４−７２９０７号公報
【発明の開示】
【発明が解決しようとする課題】
【０００６】
本発明は前記問題に鑑みてなされたものであり、パワーディストリビュータの専用ケースを無くしてコスト削減を図ると共に、電気接続箱の小型化を図り、かつ、パワーディストリビュータのバスバーと絶縁板に固定するバスバーとを夫々形成する個別の金型を不要として、コスト削減を図ることを課題としている。
【課題を解決するための手段】
【０００７】
前記課題を解決するため、本発明は、プリント基板のプリント導体側と反対面にバスバーが固定されたパワーディストリビュータと、バスバーを固定した絶縁板とが水平方向に並列配置され、
前記プリント基板に固体されたバスバーと絶縁板に固定されたバスバーとが同一の導電性金属板より打ち抜き加工されて、同一平面上に連続配置され、
前記パワーディストリビュータが前記バスバーを固定した絶縁板と共にアッパーケースとロアケースとからなる１つの共用ケース内に収容されていることを特徴とする自動車用の電気接続箱を提供している。
【０００８】
前記絶縁板に固定するバスバーは、絶縁板とバスバーとを交互に積層配置したブロックからなるバスバー積層品のうち最上層のバスバーであって、該バスバーをパワーディストリビュータのバスバーと１枚の導電性金属板で打抜加工して設け、連続配置している。
前記最上層のバスバーおよび該バスバーを搭載固定する絶縁板は、パワーディストリビュータのプリント基板と水平方向に並列配置しているが、下層のバスバーおよび絶縁板はパワーディストリビュータの下方に配置してもよい。あるいは、パワーディストリビュータとの並設箇所の下方に下層のバスバーおよび絶縁板を積層配置してもよい。また、回路数が少ない場合には、パワーディストリビュータと並列配置する１枚の絶縁板とバスバーとから構成してもよい。
【０００９】
本発明の構成によれば、電気接続箱のケース内部に収容するプリント基板に固定したバスバーと絶縁板に固定したバスバーとを同一平面上に配置しているため、プリント基板に固定するバスバーと絶縁板に固定するバスバーとを１枚の導電性金属板より打抜き加工できる。これにより、プリント基板と絶縁板に固定するバスバーとを打ち抜き加工する金型をそれぞれ個別に設ける必要がなくなり、コストを低減することができる。かつ、プリント基板のバスバーと絶縁板に固定するバスバーとは、任意の箇所でバスバーを接続させて加工しておくことで中継部品を介さずに接続できる。
【００１０】
また、パワーディストリビュータとバスバーを固定した絶縁板とを水平方向に並列配置して、１つの導電性金属板から形成したパワーディストリビュータのバスバーと絶縁板上に固定するバスバーとは所要回路を連続させていること等から、パワーディストリビュータを専用ケースに収容せず、アッパーケースとロアケースからなる１つの共用ケースに収容している。これにより、パワーディストリビュータの専用ケースが不要となり、部品点数、組付工数を低減してコストを低減できると共に、電気接続箱の小型化を図ることができる。
【００１１】
前記絶縁板に固定したバスバーおよびプリント基板に固定したバスバーに、リレー、ヒューズ、コネクタと接続される外部接続端子を設け、該外部接続端子は前記アッパーケースあるいは／およびロアケースに設けたリレー取付部、ヒューズ取付部、コネクタ取付部に位置させて、該リレー取付部、ヒューズ取付部、コネクタ取付部を囲む領域にアッパーカバーが前記アッパーケースに取り付けられている一方、
前記パワーディストリビュータのプリント基板に実装されたリレーは前記アッパーケースの上壁の内部に配置されている。
【００１２】
即ち、プリント基板に実装されたリレーの配置領域ではアッパーケースの上壁を閉鎖壁として実装リレーをケース内部に収容しているため、アッパーカバーを取り付ける必要がないが、プラグインリレー、ヒューズ、コネクタが取り付けられる領域にはアッパーカバーが被せられる。
なお、ロアカバーは全領域に被せている。
【発明の効果】
【００１３】
前述したように、本発明によれば、電気接続箱のケース内部に収容するパワーディストリビュータのプリント基板に固定したバスバーと、バスバーと絶縁板とを交互に積層したバスバー積層品の絶縁板に固定した最上層のバスバーとを同一平面上に連続配置することにより、パワーディストリビュータ側のバスバーと絶縁板に固定したバスバーとを１枚の導電性金属板より打ち抜き加工できる。これにより、パワーディストリビュータ側のバスバーと、絶縁板に固定するバスバーとを打ち抜き加工する金型をそれぞれ別に設ける必要がなくなり、バスバーを形成する金型費を低減することができる。かつ、パワーディストリビュータは従来は専用ケースに収容して電気接続箱内に組みつけていたが、専用ケースを設けずに、絶縁板とバスバーの積層体等の他の電気部品と共に共用ケースに収容しているため、前記専用ケースの製作費をコストダウンできると共に、電気接続箱の小型化も図ることができる。
【発明を実施するための最良の形態】
【００１４】
本発明の実施形態を図面を参照して説明する。
図１乃至図３は、本発明の実施形態を示し、電気接続箱１０のアッパーケース１１とロアケース１２とで構成されるケースの内部に、図２中において左側に、パワーディストリビュータ１００（以下、ＰＤ１００と略称する）と、図２中において右側に、バスバー３１を固定した絶縁板３０とを水平方向に並列配置している。前記ＰＤ１００は専用ケースに収容せず、ＰＤ１００のプリント基板２０を前記アッパーケース１１とロアケース１２の内部に直接配置して、アッパーケース１１とロアケース１２とをＰＤ１００を収容する共用のケースとして用いている。
【００１５】
図１の平面図中において、一点鎖線で囲んだ領域ＳはＰＤ１００の配置領域を示し、該領域Ｓではアッパーケース１１の上壁は閉鎖壁とする一方、該領域Ｓを囲む図１中で略Ｌ形状の領域では、アッパーケース１１にヒューズ取付部１３、リレー取付部１９、ヒュージブルリンク取付部１６、コネクタ取付部１８を設け、これらの取付部にヒューズ、リレー（プラグインリレー）、コネクタ等を嵌合した後に、アッパーカバー６０を囲むようにしている。一方、ロアカバー６１はアッパーカバー１１の全周壁の下に嵌合して取り付けるようにしている。
【００１６】
アッパーケース１１とロアケース１２内に水平配置するＰＤ１００のプリント基板２０の下面にはバスバー２１を固定し、上面にはプリント導体（図示せず）を設けている。基板リレー４０、半導体リレー４１の端子を、プリント基板２０のプリント導体に半田付け、あるいは、プリント基板２０に設けたスルーホール（図示せず）へ貫通させてバスバー２１に半田付けして、基板リレー４０、半導体リレー４１をプリント基板２０に実装し、これら実装リレー４０、４１をアッパーケース１１の閉鎖上壁の下部に配置している。
【００１７】
前記プリント基板２０の下面に固定するバスバー２１は、水平方向に並設する絶縁板３０に固定するバスバー３１と１つの導電性金属板から１つの金型で打ち抜き加工したものある。図２に示すように、プリント基板２０に固定するバスバー２１と、絶縁板３０に固定するバスバー３１とを同一平面上に連続配置している。これらバスバー２１とバスバー３１とは所要の回路は連続させて形成している。
前記絶縁板３０の下方には、別のバスバー３６と絶縁板３７とを交互に積層して、バスバー積層品３８としている。
なお、下層のバスバーと絶縁板とはプリント基板２０と間隔をあけて下方へ延在させてもよい。
【００１８】
図３に示すように、バスバー積層品３８のバスバー３１に上向きタブ３３を設け、該タブ３３をヒューズ取付部１３に嵌合されるヒューズ４２の端子４２ａと接続させている。一方、プリント基板２０の下面に固定したバスバー２１は、図３に示すように、ヒューズ取付部１３側へと延在させて上向きタブ２２を設け、ヒューズ取付部１３に嵌合されるヒューズ４２の端子４２ｂと接続させている。即ち、バスバー積層品３８のバスバー３１からなる所要回路とプリント基板２０に固定したバスバー２１からなる所要回路との間にヒューズ４２を介在させている。このように、バスバー積層品３８のバスバー３１とプリント基板２０に固定したバスバー２１とをヒューズ４２を介して接続することで近傍配置しているため、これらバスバー２１、３１を１枚の導電性金属板より打ち抜き可能としている。
また、図示しないが、バスバー積層品３８のバスバー３１に設けたタブ３３をヒューズ４２の端子４２ａに接続させると共に、バスバー３１に設けた他のタブ３３を同一のヒューズ４２の端子４２ｂに接続させて、バスバー積層品３８内の所要回路にヒューズ４２を介在させた回路もある。
また、図３に示すように、プリント基板２０のバスバー２１にロアケース１２に設けたコネクタ取付部１４に挿入されるタブ２３を設け、コネクタ（図示せず）と接続させている。
【００１９】
一方、バスバー積層品３８のバスバー３１には、図２に示すように、音叉状のリレー接続端子３２を設け、該リレー接続端子３２をアッパーケース１１に設けたリレー取付部１９の端子収容室１９ａに挿入し、プラグインリレー５１と嵌合接続している。
また、前記バスバー３１および下層のバスバー３６は、図１中に示すヒュージブルリンク取付部１６、コネクタ取付部１８、図２に示すロアケース１２に設けたコネクタ取付部１７へと延在し、その先端に設けたタブ３４を前記取付部に位置させ、それぞれヒュージブルリンク５２の出力端子５３、コネクタ（図示せず）と接続させている。ヒュージブルリンク５２の入力端子５４は、図示しない他のバスバーを介して電源線と接続している。
【００２０】
前記構成によれば、電気接続箱１０のケース内部に収容するＰＤ１００のプリント基板２０に固定したバスバー２１と、バスバー積層品３８の絶縁板３０に固定したバスバー３１とを同一平面上に配置するため、これらバスバー２１と３１とを１枚の導電性金属板より打ち抜き加工することができる。これにより、パワーディストリビュータのバスバー２１と絶縁板３０に固定するバスバー３１とを打抜加工する金型をそれぞれ個別に設ける必要がなくなり、コストを低減することができる。
【００２１】
かつ、ＰＤ１００のプリント基板２０と、バスバー積層品３８の絶縁板３０とを水平方向に並列配置し、バスバー２１とバスバー３１とを１枚の導電性金属板より形成して、所要の回路で連続させているため、ＰＤを専用ケースに収容せずに、アッパーケース１１とロアケース１２とからなる１つの共用ケースの内部に配置している。
これにより、ＰＤ１００を専用ケース内に収容する必要がなくなり、部品点数、組付工数を削減できると共に、電気接続箱の小型化を図ることができる。
さらに、１枚の導電性金属板から打ち抜くＰＤのバスバーと絶縁板に固定するバスバーとは、中継端子を介して回路接続する必要もなくなる。
【図面の簡単な説明】
【００２２】
【図１】本発明の実施形態の電気接続箱の平面図である。
【図２】電気接続箱のＡ−Ａ線断面図である。
【図３】電気接続箱のＢ−Ｂ線断面図である。
【図４】従来例を示す図面である。
【符号の説明】
【００２３】
１０  電気接続箱
１１  アッパーケース
１２  ロアケース
１３  ヒューズ取付部
１４、１７、１８  コネクタ取付部
１９  リレー取付部
２０  プリント基板
２１  バスバー
２２、３３、３４  タブ（外部端子接続部）
３０  絶縁板
３１  バスバー
３２  リレー接続端子
３８  バスバー積層品
４０  基板リレー
４１  半導体リレー
５１  プラグインリレー
１００  パワーディストリビュータ（ＰＤ）
Ｓ  パワーディストリビュータの配置領域
【図１】
2006254527.tif 000003
【図２】
2006254527.tif 000004
【図３】
2006254527.tif 000005
【図４】
2006254527.tif 000006